(57)【要約】【課題】キャップを口部に螺着する際のシール材の破損をなくし、熱処理後のシール材の上面に水が溜まることを防止し、キャップで口部を再封する時の密封性を確保する。【解決手段】外面にねじ部１０５を設けた口部１０６を包装袋の開口部に固着し、口部１０６の開口端をシール材１０８で封止し、口部１０６のねじ部１０５にキャップ１１０を螺着した口部付包装袋において、口部１０６の開口端外面にシール材１０８の外周縁部を受ける段部１０９を設け、キャップ１１０の頂板１１１の裏面１１４に口部１０６の開口端を封止するシール材１０８を押圧して密着しかつシール材剥離後の口部の開口端を封止するドーム状突部１１５を設けて構成される。【選択図】  図４
2004224355.tif 000002
【特許請求の範囲】
【請求項１】
外面にねじ部を設けた口部を包装袋の開口部に固着し、口部の開口端をシール材で封止し、口部のねじ部にキャップを螺着した口部付包装袋において、口部の開口端外面にシール材の外周縁部を受ける段部を設け、キャップの頂板の裏面に口部の開口端を封止するシール材を押圧して密着しかつシール材剥離後の口部の開口端を封止するドーム状突部を設けたことを特徴とする口部付包装袋。
【請求項２】
ドーム状突部の外面は球面であることを特徴とする請求項１に記載の口部付包装袋。
【請求項３】
口部の外径と段部の外径との差がシール材の厚さの２倍より大きいことを特徴とする請求項１または２に記載の口部付包装袋。
【発明の詳細な説明】
【０００１】
【発明の属する技術分野】
本発明は、キャップを口部に螺着する際のシール材の破損を防ぐとともに、熱処理後にシール材の上面に水が溜まることを防止する口部付包装袋に関する。
【０００２】
【従来の技術】
一般に用いられている口部付包装袋１は、図６に示すように、ラミネートフィルム包材で形成したガセット形包装袋本体２と、ポリエチレン樹脂またはポリプロピレン樹脂により成形され、包装袋本体２の開口部２ａに固着された取出装置３とを有する。
【０００３】
上記ガセット形包装袋本体２は、両面部分４，４と、これら両面部分４，４の間に配置されたガセット部分５，５とを有する。
【０００４】
上記取出装置３は、図６および図７に示すように、外面にねじ部６を設けた口部７と、この口部７に一体に連接される導管部８とを有する。口部７の開口端はラミネートフィルム包材のシール材９により封止され、口部７のねじ部６にキャップ１０が螺着される。
【０００５】
上記キャップ１０は、図７に示すように、円形頂板部１１と、この円形頂板部１１の周縁から下方に延びる周壁部１２と、周壁部１２の内面に形成されたねじ面１３とを有する。キャップ１０の円形頂板部１１の裏面１４は平面である。
【０００６】
上記口部付包装袋１は、内部空間に液体スープやゼリー状食品等の流動食品が充填された後、取出装置３の口部７がシール材９で封止される。
【０００７】
口部付包装袋１は、充填された流動食品を殺菌処理するために、レトルト処理やボイル処理等の熱処理が施される。口部付包装袋１が加熱処理されると、口部７に封着されたシール材９は、ラミネートフィルム包材で形成されているため、加熱処理により中央部が凹んだ状態に変形し、キャップ１０の裏面とシール材９の上面との間に空間が形成される。
【０００８】
口部付包装袋１を加熱処理することにより、キャップ１０の裏面とシール材９の上面との間に空間が形成されると、口部付包装袋を加熱処理する際に発生する蒸気がキャップ１０と口部７とのねじ部の間を通り抜けてキャップ１０の裏面とシール材９の上面との間の空間に侵入し空間内に滞留する。空間内に滞留した蒸気は、口部付包装袋を加熱処理後に冷却する際に水滴となり、シール材９の上面に溜まることになる。
【０００９】
また、口部付包装袋を加熱処理後に冷却する際に、キャップ１０の裏面とシール材９の上面との間の空間が冷却工程中に減圧状態になるので、冷却水を吸引し、その冷却水がシール材９の上面に溜まることになる。
【００１０】
口部付包装袋１に充填された流動食品を取り出すには、利用者が口部７に螺着されたキャップ１０を取り外し、口部７を封止したシール材９を口部７から剥離することで行なうが、利用者が口部７に螺着されたキャップ１０を取り外した時、利用者にシール材の上に溜まった水が視認されたり、長期間を経てその水が蒸発したとしても、その水の痕跡がシール材の上に残る。このような現象が存在すると、利用者は、口部付包装袋がシール不良であると誤認したり、口部付包装袋が汚れていて不衛生であると誤認してしまうという問題点がある。
【００１１】
また、冷却水がシール材９の上面に溜まることは、衛生上好ましいことではない。
【００１２】
本出願人は、キャップ構造を改良することで、口部付包装袋の口部を封止したシール材の上面に水が溜まることを防止した口部付包装袋を開発した。
【００１３】
上記口部付包装袋は、図８および図９に示すように、口部７に螺着されるキャップ２０を頂板２１の裏面２２に基部が口部７の内径Ｒより僅かに大径Ｒ１で先端部が口部７の内径Ｒより僅かに小径Ｒ２の突部２３を設けた構造とし、キャップ２０を口部７に螺着した際、キャップ２０に設けた突部２３の先端部をシール材９の上面をわずかに押し下げ、キャップ２０の裏面とシール材９の上面との間に空間が形成されないようにすることで口部を封止したシール材の上面に水が溜まらないようにしている（例えば特許文献１参照）。
【００１４】
【特許文献１】
特開２０００−１０３４４２号公報（段落００１４および図４）
【００１５】
【発明が解決しようとする課題】
特許文献１に示す口部付包装袋は、口部を封止したシール材の上面に水が溜まらないようにすることはできても、キャップを口部のねじ部に螺着する際、キャップの頂板の裏面に設けた突部の周辺部分が集中的にシール材を強く押圧するため、シール材を破損させてシール不良を生じさせてしまうことがある。
【００１６】
本発明は上記した点を考慮してなされたもので、キャップを口部のねじ部に螺着する際のシール材の破損をなくすとともに、シール材の上面に水が溜まることがない口部付包装袋を提供することを目的とする。
【００１７】
【課題を解決するための手段】
本発明の口部付包装袋は、外面にねじ部を設けた口部を包装袋の開口部に固着し、口部の開口端をシール材で封止し、口部のねじ部にキャップを螺着した口部付包装袋において、口部の開口端外面にシール材の外周縁部を受ける段部を設け、キャップの頂板の裏面に口部の開口端を封止するシール材を押圧して密着しかつシール材剥離後の口部の開口端を封止するドーム状突部を設けて構成され、キャップを口部のねじ部に螺着する際、キャップの頂板の裏面に設けたドーム状突部がシール材の全面をほぼ均一に押圧することで、ドーム状突部がシール材を破ることなくシール材に密着でき、キャップの裏面とシール材の上面との間に空間が形成されないことで加熱処理後に口部を封止したシール材の上面に水が溜まることはない。
【００１８】
【発明の実施の形態】
以下本発明の実施の形態を図面を参照して説明する。
本発明による口部付包装袋１００は、図１に示すように、ラミネートフィルム包材で形成したガセット形包装袋本体１０１と、ポリエチレン樹脂またはポリプロピレン樹脂により成形され、包装袋本体１０１の開口部１０１ａに固着された取出装置１０２とから構成されている。
【００１９】
上記ガセット形包装袋本体１０１は、両面部分１０３，１０３と、これら両面部分１０３，１０３の間に配置されたガセット部分１０４，１０４とを有する。
【００２０】
上記取出装置１０２は、図１ないし図３に示すように、ポリエチレン樹脂またはポリプロピレン樹脂により一体成形された外面にねじ部１０５を設けた口部１０６と導管部１０７とを有する。口部１０６の開口端は円形シール材１０８により封止される。口部１０６のねじ部１０５より開口端側に開口端から外面全周に沿ってねじ部１０５側に延びる段部１０９が形成されている。口部１０６の外径Ｒ３と段部１０９の外径Ｒ４との差はシール材１０８の厚さの２倍より大きく、好ましくシール材１０８の厚さの２倍である。
【００２１】
円形シール材１０８は、口部１０６の開口端を封止する時、その外周端部１０８ａを口部１０６の外面側に折り曲げられる。円形シール材１０８の折り曲げられた外周端部１０８ａは段部１０９に収容されるが、口部１０６の外面と段部１０９の底面との差が少なくとも円形シール材１０８の厚さに相当するから、外周端部１０８ａは口部１０６の外面より外側に位置しない。そのため、円形シール材１０８は、シール加工時に、口部１０６の開口端をより確実に封止するとともに、口部１０６とキヤップ間の空隙を少なくすることができる。
【００２２】
上記取出装置１０２の口部１０６に、図１に示すようなキャップ１１０が螺着される。キャップ１１０は、ポリエチレン樹脂またはポリプロピレン樹脂により成形されている。
【００２３】
上記キャップ１１０は、図２に示すように、円形頂板部１１１と、この円形頂板部１１１の周縁から下方に延びる周壁部１１２と、周壁部１１２の内面に形成されたねじ面１１３とを有する。キャップ１１０の円形頂板部１１１の裏面１１４にはドーム状突部１１５が形成されている。
【００２４】
ドーム状突部１１５は、外面が球面であり、円形シール材１０８を剥離した後の口部１０６の開口端を封止するように基部の外径が口部１０６の内径Ｒ５より大きい。ドーム状突部１１５は、外面が球面であるから、円形シール材１０８を押圧して円形シール材１０８に密着する際に、円形シール材１０８に局部的に過大の押圧が加わらないようにしている。ドーム状突部１１５の外面の中心部分に凹部を設けることで、円形シール材１０８を押圧する際の中心部の押圧力を弱めることができる。
【００２５】
上記円形シール材１０８は、図５に示すように、ポリエステルフィルム１１６とアルミニウム箔１１７とポリエステルフィルム１１８とポリプロピレン系イージーピールフィルム１１９をラミネートした４層構造のラミネートフィルムから形成されている。ラミネートフィルムの厚さは、１００ミクロンないし２００ミクロンであることが好ましいが、適用される口部１０６の内径Ｒ５により変動する。
【００２６】
口部付包装袋１００に液状食品を充填するには、図示しない充填ノズルを取出装置１０２の口部１０６に装着し、図示しないタンクに収容された液状食品を充填ノズルを通して口部付包装袋１００の内部に導入することで行なわれる。
【００２７】
口部付包装袋１００に所定量の液状食品が充填されると、充填ノズルが取出装置１０２の口部１０６から取り外され、口部付包装袋１００の口部１０６の端面に円形シール材１０８が配置される。円形シール材１０８は、高周波手段や超音波手段あるいはヒートシール手段により溶着され、付設された成形手段により外周端部１０８ａを口部１０６側に折り曲げられる。円形シール材１０８の外周端部１０８ａは、口部１０６の開口端外面に設けた段部１０９に収容される。
【００２８】
段部１０９に収容された円形シール材１０８の外周端部１０８ａは、段部１０９の外径Ｒ４が口部１０６の外径Ｒ３より少なくともシール材１０８の厚さの２倍小さいので、外周端部１０８ａの外面は口部１０６の外面と同等またはこれより半径方向内側に位置し、円形シール材１０８外周端部１０８ａが口部１０６の外面より半径方向外方に突き出ることはない。
【００２９】
口部１０６の端面に配置された円形シール材１０８は、その外周端部１０８ａを段部１０９に収容した状態で、高周波手段や超音波手段あるいはヒートシール手段により口部１０６の開口端面または開口端面と剥がし用タブ部を残した段部１０９の外面の両方に溶着される。これにより、円形シール材１０８は、口部１０６の開口端を確実に封止する。
【００３０】
円形シール材１０８が口部１０６の開口端を封止すると、キャップ１１０が口部１０６に螺着される。キャップ１１０を口部１０６に螺着する時、キャップ１１０に設けたドーム状突部１１５は、その外面が球面であるから、図４に示すように、円形シール材１０８の上面をほぼ均等に押し下げながら円形シール材１０８の上面に空間が形成されないように密着する。
【００３１】
すなわち、キャップ１１０を口部１０６に螺着する際、キャップ１１０のドーム状突部１１５が口部１０６の端面に配置された円形シール材１０８に局部的に過大な押圧力を加えないので、キャップ１１０のドーム状突部１１５が円形シール材１０８を破損させることはない。
【００３２】
キャップ１１０を口部１０６に螺着した時、キャップ１１０に設けたドーム状突部１１５が、円形シール材１０８の上面に圧接した状態を維持しているので、口部付包装袋１００を加熱処理する際に、円形シール材１０８が凹状に変形しようとしても、キャップ１１０の円形頂板部１１１の裏面１１４に設けたドーム状突部１１５の外面と円形シール材１０８の上面との間に空間が形成されない。
【００３３】
したがって、口部付包装袋１００を加熱処理する際に発生する蒸気が、キャップ１１０のねじ部１１３と口部１０６のねじ部１０５の間を通り抜けてもキャップ１１０の裏面１１４に設けたドーム状突部１１５の外面と円形シール材１０８の上面との間に侵入することがなく、円形シール材１０８の上面に水が溜まってしまうことはない。
【００３４】
口部付包装袋１００に充填された液状食品を取り出すために、口部付包装袋１００のキャップ１１０を口部１０６から取り外し、口部１０６を封止する円形シール材１０８の外周端部１０８ａに適宜設けたタブ部（図示せず）を引っ張り、円形シール材１０８を口部１０６の開口端外面に設けた段部１０９から剥離し、これに続いて、円形シール材１０８を口部１０６の端面から剥離することで行なわれる。
【００３５】
口部付包装袋１００に充填された液状食品は、円形シール材１０８を口部１０６の端面から剥離することで形成される開口を通して取り出される。口部付包装袋１００から取り出される液状食品が一部であり、口部付包装袋１００に液状食品が残っている場合には、口部付包装袋１００のキャップ１１０によって口部１０６を再封する。この時、口部付包装袋１００の口部１０６の端面が円形シール材１０８を溶着することにより溶けて荒れた面になっていても、キャップ１１０のドーム状突部１１５が口部１０６に嵌合するので、キャップ１１０と口部１０６との密封性が確保される。
【００３６】
上記本発明による実施の形態では、口部付包装袋は、ラミネートフィルム包材で形成したガセット形包装袋本体として説明したが、ガセット形包装袋本体をフラットボトム形包装袋本体としたり、３方シール形包装袋本体とすることもできる。
【００３７】
【発明の効果】
本発明による口部付包装袋は、口部の開口端外面にシール材の外周縁部を受ける段部を設け、キャップの頂板の裏面に口部の開口端を封止するシール材を押圧して密着しかつシール材剥離後の口部の開口端を封止するドーム状突部を設けたことで、キャップを口部のねじ部に螺着する際、キャップの頂板の裏面に設けたドーム状突部がシール材の全面をほぼ均一に押圧するので、ドーム状突部がシール材を破ることなくシール材に密着でき、キャップの裏面とシール材の上面との間に空間が形成されないことで加熱処理後に口部を封止したシール材の上面に水が溜まることはなく、口部を再封する時の密封性を確保することができる。
【図面の簡単な説明】
【図１】本発明による口部付包装袋の一部を破いて示す斜視図。
【図２】本発明による口部付包装袋のキャップの断面図。
【図３】本発明による口部付包装袋の口部の断面図。
【図４】本発明による口部付包装袋のキャップを口部に螺着した状態を示す断面図。
【図５】シール材の構成を示す図。
【図６】従来の口部付包装袋のキャップを口部に螺着した状態を示す断面図。
【図７】図６に示す口部付包装袋のキャップを口部に螺着した状態を示す断面図。
【図８】従来の別の口部付包装袋のキャップの断面図。
【図９】従来の別の口部付包装袋のキャップを口部に螺着した状態を示す断面図。
【符号の説明】
１００  口部付包装袋
１０２  取出装置
１０６  口部
１０８  円形シール材
１０９  口部の段部
１１０  キャップ
１１１  頂板
１１５  ドーム状突部
【図１】
2004224355.tif 000003
【図２】
2004224355.tif 000004
【図３】
2004224355.tif 000005
【図４】
2004224355.tif 000006
【図５】
2004224355.tif 000007
【図６】
2004224355.tif 000008
【図７】
2004224355.tif 000009
【図８】
2004224355.tif 000010
【図９】
2004224355.tif 000011